(57)【要約】【課題】吸湿性を有する多孔性支持体を具備するマスタを用いて穿孔・製版する制御システム下においては、低湿時に対応すべく全環境下でサーマルヘッドヘの通電周期を長くし、サーマルヘッドの発熱体群へ通電する時間を長くすることで熱可塑性樹脂フィルムに十分に熱を加えて穿孔させるか、低湿時での穿孔不良には目をつぶり通電周期を短くして製版時間の短縮を図るということくらいしかできなかったという問題点を解決する。【解決手段】マイクロコンピュータ２は、湿度センサ１により検出された湿度情報に係る湿度データ信号に応じて、また湿度制御オンオフキー９７からの低湿環境駆動条件可変指示に係る信号に基づいて、サーマルヘッド１０の個々の発熱体９への通電周期（印字周期）を変えると共に、サーマルヘッド１０の個々の発熱体９に供給する印加エネルギーを変えるようにサーマルヘッド駆動回路２７等を制御する。【選択図】              図４
2005035091.tif 000002
【特許請求の範囲】
【請求項１】
熱可塑性樹脂フィルムと吸湿性を有する多孔性支持体とからなるマスタに、サーマルヘッドの発熱部を接触させた状態で相対的に移動させながら穿孔・製版を行う製版装置において、
マスタへの穿孔の確率を低減させないように上記サーマルヘッドの駆動条件を変えるための、上記製版装置周辺の雰囲気の湿度を検出する湿度検出手段を有することを特徴とする製版装置。
【請求項２】
請求項１記載の製版装置において、
上記湿度検出手段を上記サーマルヘッドの近傍に配置したことを特徴とする製版装置。
【請求項３】
請求項１または２記載の製版装置において、
上記湿度検出手段により検出された湿度情報に応じて、上記サーマルヘッドへ通電する周期を変えると共に、上記サーマルヘッドに印加する印加エネルギーを変える制御を行う第１の制御手段を有することを特徴とする製版装置。
【請求項４】
請求項３記載の製版装置において、
上記サーマルヘッドに対向しマスタを介して回転自在に設けられたプラテンローラと、
上記サーマルヘッドと上記プラテンローラとの押圧力を変える押圧力調整手段と、
上記湿度検出手段により検出された湿度情報に応じて、上記押圧力を変えるように上記押圧力調整手段を制御する第２の制御手段と、
を有することを特徴とする製版装置。
【請求項５】
請求項３または４記載の製版装置において、
上記湿度検出手段により検出された湿度情報を報知する報知手段と、
上記報知手段により報知された湿度情報に基づいて、第１の制御手段または第２の制御手段による制御を行うか否かを手動で選択する制御選択手段と、
を有することを特徴とする製版装置。
【請求項６】
請求項１ないし５の何れか一つの記載の製版装置と、該製版装置で製版されたマスタを巻装する印刷ドラムと、該印刷ドラム上のマスタにインキを供給するインキ供給手段とを具備し、上記印刷ドラム上のマスタに印刷用紙を押し付けて印刷用紙に印刷を行うことを特徴とする製版印刷装置。
【発明の詳細な説明】
【０００１】
【発明の属する技術分野】
本発明は、孔版印刷装置等を含む製版印刷装置に関する。
【０００２】
【従来の技術】
簡便な印刷方式としてデジタル感熱式の製版装置を搭載した製版印刷装置が知られている。その製版装置では、主走査方向に配列された複数の発熱部（以下、「発熱体」と言い替える）を有するサーマルヘッドとプラテンローラとで、感熱性孔版原紙とも呼ばれるマスタを押し付けながら、主走査方向と直交する副走査方向（以下、「マスタ搬送方向」というときがある）にプラテンローラの回転を介してマスタを相対的に移動させつつ、一般にスキャナ等によって読み込まれた画像データ信号を基に、サーマルヘッドの画像データに対応する所定の発熱体を発熱させることにより、マスタの熱可塑性樹脂フィルム（以下、単に「フィルム」というときがある）を位置選択的に加熱溶融穿孔・製版してドット状の製版画像（穿孔パターン）をマスタに形成するものである。
この時、サーマルヘッドヘ印加するエネルギーは環境温度、主走査方向の印字率、隣接ドットに対応した発熱体の発熱状況などに応じて、最適な穿孔状態となるように、通電時間（通電パルス幅）を変えることや、印可電圧を変えることで調整されている（例えば、特許文献１参照）。
上記製版装置で得られた製版されたマスタ（以下、「製版済みのマスタ」というときがある）を自動的に搬送して印刷ドラムとも呼ばれる版胴の外周面に自動的に巻装し、版胴の内周側からインキを供給しながらプレスローラや圧胴等の押圧手段で印刷用紙を連続的に押し付けてそのドット状の製版画像からインキを通過させ印刷用紙に転移させることで、画像データ信号に応じた印刷画像を印刷用紙上に形成して所望の印刷物を得る孔版印刷装置等を含む製版印刷装置も既に公知である。
【０００３】
現在までの製版装置や製版印刷装置で使用されているマスタの多くは、その搬送性および印刷ドラム側から供給されるインキの保持のために、フィルムとそれを支持している多孔性支持体とから構成されており、その多孔性支持体は天然繊維または天然繊維と化学繊維（合成繊維とも呼ばれる）とが混抄された態様でなるものが多い。
また、上記構成を取るマスタの多孔性支持体は、吸湿性を有する天然繊維を具備しているために、雰囲気湿度（相対湿度）が高い状況では天然繊維が吸水し膨張することにより、多孔性支持体と貼り合わせた湿度依存性の少ないフィルムをも結果的に張らせることとなって、穿孔に影響のあるマスタ自体の平滑性を上げる特性を持つ。逆に言えば、雰囲気湿度が低い状況では、マスタの多孔性支持体の平滑性は高湿時に対して劣ることになる（例えば、特許文献２、３参照）。
【０００４】
さらに、サーマルヘッドの個々の発熱体の発熱によりマスタへ穿孔を施す際の穿孔の確率は、マスタ自体の平滑性に寄与するところが多いことが知られている（例えば、特許文献４参照）。ここで、マスタへの穿孔の確率（以下、「フィルムの穿孔確率」と言い替えるときがある）とは、マスタのフィルムの一定面積内、すなわちマスタのフィルムの一定領域内において穿孔すべきドット状の画像データに対応して穿孔されている確率をいい、ドット状の全ての画像データに対応してその全てが穿孔されている場合を１００％とする。サーマルヘッドの解像度およびマスタの副走査方向の解像度（送り速度）の設定内容にもよるが、通常、フィルムの穿孔確率が９８％以下になると、いわゆる「白抜け」と呼ばれる画像不良が多くなることで穿孔されていない未穿孔箇所が目立ちはじめ、最終的な印刷画像品質（以下、「画質」という）の劣悪化を招くこととなる。
【０００５】
上述した湿度によるマスタのフィルムに対する穿孔性への影響に関してまとめると次のようになる。すなわち、マスタの多孔性支持体が、吸湿性を有する天然繊維のみまたは天然繊維と化学繊維とが混抄された態様で構成されている場合、多孔性支持体自体の吸湿性によりマスタの平滑性に変化が生じる。ミクロ的に見ると、湿度が相対的に高い場合にはマスタのフィルム部分の平滑性が上がり、これによりサーマルヘッドの発熱体とマスタのフィルムとの密着性が増すことによって、マスタのフィルムには穿孔に必要な十分なエネルギーが伝えられ、穿孔不良の生じない画質が良好となるマスタを作成することができる。
これとは逆に、湿度が相対的に低い場合にはマスタのフィルム表面は波打ち状に多少荒れてその表面粗さが粗の状態になっており、その結果、サーマルヘッドの発熱体とマスタのフィルムとの密着性が低くなり、マスタのフィルムには穿孔に十分なエネルギーが伝わらず、穿孔不良となり、印刷画像においてはその部分からのインキ供給ができず、画像不良（白抜け）が生じる。
【０００６】
【特許文献１】
特開２００２−２６４２９２号公報
【特許文献２】
特開平９−２０７３０４号公報、段落「０００６」
【特許文献３】
特開平１１−１８８８３２公報、段落「０００６」〜「０００７」
【特許文献４】
特開２００２−１４４６８９号公報、段落「０００５」〜「０００８」
【０００７】
【発明が解決しようとする課題】
しかしながら、従来技術におけるサーマルヘッドヘの印加エネルギーの供給は、環境の雰囲気温度またはサーマルヘッド温度に応じた印加エネルギー条件を基ににし、主走査方向の印字率、隣接ドットに対応した発熱体の発熱状況などに対応した条件となるようにしているものがほとんどで、環境の雰囲気湿度（相対湿度）に応じてサーマルヘッドの駆動条件を変える制御、すなわちサーマルヘッドへ通電する周期（以下、「通電周期」という）および印加エネルギーを変える制御を行うようなことはなかった。なお、印加エネルギーは、穿孔用エネルギーとも呼ばれる。
【０００８】
従って、吸湿性を有する多孔性支持体を具備するマスタを用いて穿孔・製版する制御システム下においては、低湿時に対応すべく全環境下でサーマルヘッドヘの通電周期を長くし、サーマルヘッドの発熱体群へ通電する時間を長くすることで熱可塑性樹脂フィルムに十分に熱を加えて穿孔させるか、低湿時での穿孔不良には目をつぶり通電周期を短くして製版時間の短縮を図るということくらいしかできなかった。
前者の場合では、製版装置や製版印刷装置における製版時間が長くなってしまうことにつながるし、後者の場合では、穿孔不良による印刷画像上での白抜けの問題が残ってしまうことになる。
【０００９】
そこで、本発明の目的は、上述した問題点を解決して後述する効果を奏する製版装置および製版印刷装置を提供することにあり、これをまとめると次のようである。
第１の目的は、製版装置周辺の雰囲気の湿度、さらに好ましくはサーマルヘッドの近傍の雰囲気の湿度を検出する湿度検出手段を有することにより、如何なる湿度環境下でもドット抜けの無い穿孔状態を得られる、すなわちマスタへの穿孔の確率を低減させないようにサーマルヘッドの駆動条件を変えることが可能となる製版装置および製版印刷装置を提供することにある。
【００１０】
第２の目的は、従来技術では低湿環境を見越してサーマルヘッドヘの通電周期はそう短くすることはできなかったが、低湿環境での穿孔不良はサーマルヘッドの駆動条件の変更により補えるため、湿度検出手段により検出された湿度情報に応じて、サーマルヘッドへ通電する周期を変えると共に、サーマルヘッドに印加する印加エネルギーを変える制御を行う第１の制御手段を有することにより、穿孔性およびサーマルヘッドの寿命に影響を来さない範囲にて可能な限り通電周期を短く設定できて、製版装置および製版印刷装置に特有の製版時間を幾らかでも短縮できるようにすることにある。
これに加えて、低湿度と判断された時のみ、サーマルヘッドとプラテンローラとの押圧力を変える押圧力調整手段を制御して押圧力を高く変える第２の制御手段を有することにより、サーマルヘッドに対する機械的ストレスを極力低減できるようにすることにある。
【００１１】
第３の目的は、報知手段により報知された湿度情報に基づいて、第１の制御手段または第２の制御手段による制御を行うか否かを手動で選択する制御選択手段とを有することにより、サーマルヘッドの駆動条件を変更する制御を行うかどうか、低湿度と判断された時のみ、サーマルヘッドとプラテンローラとの押圧力を高く変える制御を行うかどうかを任意に選択できる構成にすることにより、多少の穿孔の確率の低下（白抜け）を良しとして、製版時間を短縮させたいというユーザ要望をも可能にすることができるようにすることにある。
【００１２】
【課題を解決するための手段】
上述した課題を解決すると共に上述した目的を達成するために、請求項１記載の発明は、熱可塑性樹脂フィルムと吸湿性を有する多孔性支持体とからなるマスタに、サーマルヘッドの発熱部を接触させた状態で相対的に移動させながら穿孔・製版を行う製版装置において、マスタへの穿孔の確率を低減させないように上記サーマルヘッドの駆動条件を変えるための、上記製版装置周辺の雰囲気の湿度を検出する湿度検出手段を有することを特徴とする。
請求項２記載の発明は、請求項１記載の製版装置において、上記湿度検出手段を上記サーマルヘッドの近傍に配置したことを特徴とする。
【００１３】
請求項３記載の発明は、請求項１または２記載の製版装置において、上記湿度検出手段により検出された湿度情報に応じて、上記サーマルヘッドへ通電する周期を変えると共に、上記サーマルヘッドに印加する印加エネルギーを変える制御を行う第１の制御手段を有することを特徴とする。
【００１４】
請求項４記載の発明は、請求項３記載の製版装置において、上記サーマルヘッドに対向しマスタを介して回転自在に設けられたプラテンローラと、上記サーマルヘッドと上記プラテンローラとの押圧力を変える押圧力調整手段と、上記湿度検出手段により検出された湿度情報に応じて、上記押圧力を変えるように上記押圧力調整手段を制御する第２の制御手段とを有することを特徴とする。
【００１５】
請求項５記載の発明は、請求項３または４記載の製版装置において、上記湿度検出手段により検出された湿度情報を報知する報知手段と、上記報知手段により報知された湿度情報に基づいて、第１の制御手段または第２の制御手段による制御を行うか否かを手動で選択する制御選択手段とを有することを特徴とする。
【００１６】
請求項６記載の発明は、請求項１ないし５の何れか一つの記載の製版装置と、該製版装置で製版されたマスタを巻装する印刷ドラムと、該印刷ドラム上のマスタにインキを供給するインキ供給手段とを具備し、上記印刷ドラム上のマスタに印刷用紙を押し付けて印刷用紙に印刷を行うことを特徴とする製版印刷装置である。
【００１７】
【発明の実施の形態】
以下、図を参照して実施例を含む本発明の実施の形態（以下、「実施形態」という）を説明する。各実施形態等に亘り、同一の機能および形状等を有する部材や構成部品等の構成要素については、同一符号を付すことにより一度説明した後ではその説明を省略する。図および説明の簡明化を図るため、図に表されるべき構成要素であっても、その図において特別に説明する必要がないものは適宜断わりなく省略することがある。公開特許公報等を引用して構成や動作例等を説明する場合には、引用した構成要素等の符号に括弧を付して区別することとする。
【００１８】
まず、図１を参照して、本発明を適用した製版装置およびこの製版装置を有するデジタル感熱式の製版印刷装置の全体構成とその動作について説明する。製版印刷装置は、孔版印刷装置とも呼ばれる。
図１において、符号５０は、装置本体フレームを示す。装置装置本体フレーム５０の上部にある、符号８０で示す部分は原稿読取装置を構成し、その下方の符号１９で示す部分は本発明を具体的に適用した製版装置、その左側に符号１００で示す部分は多孔性の版胴とも呼ばれる印刷ドラム１０１が配置された印刷ドラム装置、その左の符号７０で示す部分は排版装置、製版装置１９の下方の符号１１０で示す部分は給紙装置、印刷ドラム１０１の下方の符号１２０で示す部分は印圧装置、装置装置本体フレーム５０の左下方の符号１３０で示す部分は排紙装置をそれぞれ示している。この製版印刷装置には、デジタル感熱製版式の製版装置１９が装置装置本体フレーム５０に装備されている。
【００１９】
この製版印刷装置の全体構成および動作について、図１および図２を参照して以下に説明する。
先ず、原稿読取装置８０の上部に配置された原稿載置台（図示せず）に、印刷すべき画像をもった原稿６０を載置し、図２に示す操作パネル９０の製版スタートキー９１を押す。この製版スタートキー９１の押下に伴いスタート信号が生成されこれがトリガとなって、先ず排版工程が実行される。すなわち、この状態においては、印刷ドラム装置１００の印刷ドラム１０１の外周面に前回の印刷で使用された使用済みのマスタ１２が装着されたまま残っている。
【００２０】
印刷ドラム１０１が反時計回り方向に回転し、印刷ドラム１０１外周面の使用済みのマスタ１２の後端部が排版装置７０における排版剥離ローラ対７１ａ，７１ｂに近づくと、同ローラ対７１ａ，７１ｂは回転しつつ一方の排版剥離ローラ７１ｂで使用済みのマスタ１２の後端部をすくい上げ、排版剥離ローラ対７１ａ，７１ｂの左方に配設された排版コロ対７３ａ，７３ｂと排版剥離ローラ対７１ａ，７１ｂとの間に掛け渡された排版搬送ベルト対７２ａ，７２ｂで矢印Ｙ１方向へ搬送されつつ排版ボックス７４内へ排出され、使用済みのマスタ１２が印刷ドラム１０１の外周面から引き剥がされ排版工程が終了する。このとき印刷ドラム１０１は反時計回り方向への回転を続けている。剥離排出された使用済みのマスタ１２は、その後、圧縮板７５により排版ボックス７４の内部で圧縮される。
【００２１】
排版工程と並行して、原稿読取装置８０では原稿読み取りが行われる。すなわち、図示しない原稿載置台に載置された原稿６０は、分離ローラ８１、前原稿搬送ローラ対８２ａ，８２ｂおよび後原稿搬送ローラ対８３ａ，８３ｂのそれぞれの回転により矢印Ｙ２からＹ３方向に搬送されつつ露光読み取りに供される。このとき、原稿６０が多数枚あるときは、分離ブレード８４の作用でその最下部の原稿のみが搬送される。原稿６０の画像読み取りは、コンタクトガラス８５上を搬送されつつ、蛍光灯８６により照明された原稿６０の表面からの反射光を、ミラー８７で反射させレンズ８８を通して、ＣＣＤ（電荷結合素子等の光電変換素子）からなる画像センサ８９に入射させることにより行われる。その画像が読み取られた原稿６０は原稿トレイ８０Ａ上に排出される。
【００２２】
原稿６０の光学情報は画像センサ８９で光電変換され、そのアナログの電気信号は図示しないアナログ／デジタル（Ａ／Ｄ）変換基板に入力されデジタルの画像信号に変換される。このデジタル画像信号は後述するように復号化回路にてイメージデータ信号に復号処理され、さらに後述するサーマルヘッド駆動回路で公知の処理をされてサーマルヘッド１０に送信される。
なお、上記復号化回路を介して上記サーマルヘッド駆動回路に入力されるイメージデータ信号は、画像センサ８９で読み取ったものに限らず、例えば密着センサ等の画像センサで読み取ったものや、パーソナル・コンピュータ等から送信される画像信号（ラスタイメージデータ等）であっても構わない。
【００２３】
一方、この画像読み取り動作と並行して、デジタル信号化された画像情報（画像データ信号）に基づき製版および給版工程が行われる。すなわち、マスタ１２は、製版装置１９の所定部位にマスタ１２を繰り出し可能にセットされ、芯管１２ａの周りにロール状に巻かれて形成されたマスタロール１２Ａから引き出され、サーマルヘッド１０にマスタ１２を介して押圧しているプラテンローラ１４、および一対のテンションローラ１５ａ，１５ｂの回転により副走査方向Ｙ（マスタ搬送方向でもある）の下流側に搬送される。このように搬送されるマスタ１２に対して、サーマルヘッド１０における副走査方向Ｙと直交する主走査方向にライン状に並んだ多数個（複数個）の微小な発熱体９が、上記サーマルヘッド駆動回路から送られてくる画像データ信号に応じて各々選択的に発熱し、発熱した発熱体９に保護膜層（図示せず）を介して接触しているマスタ１２の熱可塑性樹脂フィルム部分が加熱溶融穿孔される。このように、画像情報に応じたマスタ１２の位置選択的な溶融穿孔により、画像情報が穿孔パターンとしてマスタ１２に書き込まれる。
【００２４】
プラテンローラ１４は、タイミングベルトおよびギヤ等の回転伝達部材（図示せず）を介してマスタ送りモータ１１に連結されていて、マスタ送りモータ１１により回転される。マスタ送りモータ１１は、例えばステッピングモータからなる。マスタ送りモータ１１の回転駆動力は、ギヤ等の回転伝達部材（図示せず）を介して、テンションローラ対１５ａ，１５ｂおよび電磁クラッチ（図示せず）を介して上下一対の反転ローラ１７ａ，１７ｂに伝達されるようになっている。
【００２５】
画像情報が書き込まれた製版済みのマスタ１２の先端は、ガイド板１６上を案内されつつ反転ローラ対１７ａ，１７ｂにより印刷ドラム１０１の外周部側へ向かって送り出され、給版ガイド板１８により進行方向を下方へ変えられ、図示する給版位置状態にある印刷ドラム１０１の拡開したマスタクランパ１０２（二点鎖線で示す）へ向かって垂れ下がる。このとき印刷ドラム１０１は、排版工程により使用済みのマスタ１２を既に除去されている。
【００２６】
そして、製版済みのマスタ１２の先端が、一定のタイミングでマスタクランパ１０２によりクランプされると、印刷ドラム１０１は図中Ａ方向（時計回り方向）に回転しつつ外周面に製版済みのマスタ１２を徐々に巻き付けていく。製版済みのマスタ１２の後端部はカッタ１３により一定の長さに切断される。
【００２７】
一版の製版済みのマスタ１２が印刷ドラム１０１の外周面に巻装されると製版および給版工程が終了し、印刷工程が開始される。先ず、給紙台５１上に積載された印刷用紙６２の内の最上位の１枚が、給紙コロ１１１および分離コロ対１１２ａ，１１２ｂによりレジストローラ対１１３ａ，１１３ｂに向けて矢印Ｙ４方向に送り出され、さらにレジストローラ対１１３ａ，１１３ｂにより印刷ドラム１０１の回転と同期した所定のタイミングで印圧装置１２０に送られる。送り出された印刷用紙６２が、印刷ドラム１０１とプレスローラ１０３との間にくると、印刷ドラム１０１の外周面下方に離間していたプレスローラ１０３が上方に移動されることにより、印刷ドラム１０１の外周面に巻装された製版済みのマスタ１２に押圧される。こうして、印刷ドラム１０１の多孔部および製版済みのマスタ１２の穿孔パターン部（共に図示せず）からインキが滲み出し、この滲み出たインキが印刷用紙６２の表面に転移されて、印刷画像が形成される。
【００２８】
この時、印刷ドラム１０１の内周側では、インキ供給管１０４からインキローラ１０５とドクターローラ１０６との間に形成されたインキ溜まり１０７にインキが供給され、印刷ドラム１０１の回転方向と同一方向に、かつ、印刷ドラム１０１の回転速度と同期して回転しながら内周面に転接するインキローラ１０５により、インキが印刷ドラム１０１の内周側に供給される。インキ供給管１０４、インキローラ１０５およびドクターローラ１０６は、印刷ドラム１０１上の製版済みのマスタ１２にインキを供給するインキ供給手段を構成する。
【００２９】
印圧装置１２０において印刷画像が形成された印刷用紙６２は、排紙装置１３０における排紙剥離爪１１４により印刷ドラム１０１から剥がされ、吸着用ファン１１８により吸引されつつ、吸着排紙入口ローラ１１５および吸着排紙出口ローラ１１６に掛け渡された搬送ベルト１１７の反時計回り方向の回転により、矢印Ｙ５のように排紙装置１３０へ向かって搬送され、排紙台５２上に順次排出積載される。このようにしていわゆる版付け印刷が終了する。
次に、図２に示すテンキー９３で印刷枚数をセットし、印刷スタートキー９２を押すと上記版付け印刷と同様の工程で、給紙、印刷および排紙の各工程がセットした印刷枚数分繰り返して行われ、孔版印刷の全工程が終了する。
【００３０】
以下、操作パネル９０、マスタ１２および製版装置１９周りの構成について補足説明をする。
操作パネル９０は、原稿読取装置８０の上部の一側部に配設されている。操作パネル９０には、図２に示すように、製版スタートキー９１、テンキー９３、印刷スタートキー９２、試し刷りキー９４、湿度表示キー９６、湿度制御オン／オフキー９７、オンランプ９７ａ、ＬＣＤ（液晶表示装置）表示部９８および印刷枚数表示器９９等が配置されている。
【００３１】
製版スタートキー９１は、原稿の画像の読み取りから排版、製版、給版、給紙、版付け印刷、排紙工程に至るまでの一連の工程（動作）を起動するための動作起動手段としての機能を、テンキー９３は、印刷枚数等を入力・設定する機能を、印刷スタートキー９２は、テンキー９３で入力・設定された印刷枚数分の印刷動作の起動等を行う機能を、試し刷りキー９４は、試し刷り印刷動作を起動する機能を、それぞれ有する。試し刷りキー９４は、１回押すと１枚通紙されて試し刷り印刷され、押し続けるとその枚数分通紙されて試し刷り印刷される。
【００３２】
湿度表示キー９６は、これを１回押すことによりその内部に設けられたＬＥＤ（発光ダイオード）を点灯表示すると共に、ＬＣＤ表示部９８に湿度情報としての例えば相対湿度を表示し、２回押すと上記ＬＥＤを消灯すると共に、ＬＣＤ表示部９８に表示された上記相対湿度の表示を消去する機能を有する。
湿度制御オン／オフキー９７は、ＬＣＤ表示部９８に表示された湿度情報としての相対湿度に基づいて、ユーザが後述する第１の制御手段または第２の制御手段による制御を行うか否かを手動で選択する制御選択手段としての機能を有し、具体的にはユーザがＬＣＤ表示部９８に表示された相対湿度を視認することにより任意に湿度情報に応じてのサーマルヘッド１０への通電周期を変える制御、印加エネルギーを変える制御およびプラテンローラ１４のサーマルヘッド１０に対する押圧力を変える制御を行うかどうかを設定する機能を有する。湿度制御オン／オフキー９７は、これを１回押すことによりＬＥＤからなるオンランプ９７ａを点灯表示させて上記制御を行える状態に設定されていることを表示する機能を、２回押すことによりオンランプ９７ａを消灯させて上記制御を行えない状態に設定されていることを表示する機能を有する。
【００３３】
ＬＣＤ表示部９８は、図示しないＬＣＤ駆動回路を介して駆動され、図１に示す製版装置１９に配置された湿度検出センサ１により検出された湿度情報に係る湿度データを報知・表示する報知手段ないしは表示手段としての機能を有するほか、操作の状態や警告等のメッセージあるいは選択されている機能等の表示をしたり、その機能を選択・設定するための操作内容を随時表示したりする機能を有する。報知手段としては、ＬＣＤ表示部９８に限らず、例えばＬＥＤ駆動回路を介して駆動制御されるＬＥＤによる湿度情報の表示等も含まれる。
【００３４】
湿度表示キー９６は、これに限らず、例えば湿度制御オン／オフキー９７のように、湿度表示キー９６の押下による上記信号の生成を表示するＬＥＤを該キーから独立して設けたような構成のキーやボタン等でもよい。これと反対に、湿度制御オン／オフキー９７は、これに限らず、例えば１回押すと、そのキーの内部に配設されているオン文字部の図示しないＬＥＤが点灯することで、２回押すと、上記オン文字部の点灯が消灯すると共に、そのキーの内部に配設されているオフ文字部の図示しないＬＥＤが点灯することで、上記信号の生成や消滅を視認できるようにしてもよい。
印刷枚数表示器９９は、図示しないＬＥＤ駆動回路を介して印刷枚数および印刷動作中の残印刷枚数等を表示する機能を有する。
【００３５】
マスタ１２は、従来技術で述べたと同様の特性を有するフィルムとそれを支持している多孔性支持体とから構成されており、その多孔性支持体は天然繊維または天然繊維と合成繊維（化学繊維）とが混抄されたものからなり、吸湿性を有する天然繊維および湿度依存性の少ないフィルムを具備している。そのため、雰囲気湿度（相対湿度）が高い状況では天然繊維が吸水し膨張することにより、多孔性支持体と貼り合わせたフィルムも結果的に張らせることとなって、穿孔に影響のあるマスタ１２自体の平滑性を上げる特性を持つものである。逆に言えば、雰囲気湿度が低い状況では、マスタ１２の多孔性支持体の平滑性は高湿時に対して劣るものである。また、マスタ１２のフィルムの表面上には、帯電防止剤やスティック防止剤等を含有したオーバーコート剤が一般的には塗布されている。
また、マスタ１２には、図示してはいないが、接着層があるのが一般的である。一般的に、製版印刷装置で使用されるマスタ１２の厚みとしては、２０〜６０μｍの範囲のものであり、そのうちのフィルムの厚みとしては、１〜８μｍの範囲のものが使用される。
【００３６】
製版装置１９には、サーマルヘッド１０をプラテンローラ１４に対して相対的に接離させる周知の接離手段と、サーマルヘッド１０とプラテンローラ１４との押圧力を変える図３に示す押圧力調整手段３０とが配設されている。
上記接離手段は、その図示を省略しているが、例えば本願出願人が提案した特開平１０−１５７０５２号公報の図４および図５等に示されているものと略同様の構成を具備している。
【００３７】
図３において、符号２０は、サーマルヘッド１０を支持・固定するサーマルヘッド支持部材を、符号２１は、サーマルヘッド支持部材２０を介してサーマルヘッド１０をプラテンローラ１４へ接離する方向に接離・揺動する際の中心となる支軸をそれぞれ示す。
押圧力調整手段３０は、図３に示すように、装置本体フレーム５０に固設された図示しない製版側板に固着されその出力軸にウォーム３４が取付けられた正転および逆転可能なプラテン押圧可変モータ３５と、その一端がサーマルヘッド支持部材２０の左端に係止され他端が後述する可動軸３２の一端に係止されたスプリング（引張ばね）３１と、スプリング３１の他端が係止されていて、かつ、上記製版側板に固着された不動部材に形成された溝（共に図示せず）を介して進退方向Ｚにのみ往復直線運動可能に支持されその内周部に雌ねじが形成された可動軸３２と、可動軸３２の雌ねじと螺合する雄ねじがその外周部に形成され回転自在な回転軸３３と、この回転軸３３に固設されウォーム３４と常時噛合するウォームホイール３６と、回転軸３３の他端に固設されウォームホイール３６の回転数を検出するためのエンコーダ板３７と、上記製版側板に固着されエンコーダ板３７を所定の間隔をもって挾み付ける回転数検出センサ３８と、可動軸３２の外周部から突出形成された遮蔽板３２ａと、上記製版側板に固着され所定の間隔をもって遮蔽板３２ａを挾み付けてエンコーダ板３７、すなわち可動軸３２のホームポジション（押圧標準状態を示す位置）を検知するためのホームポジションセンサ３９とから主に構成される。
【００３８】
エンコーダ板３７は、外周部に多数のスリットを形成されて周知のフォトエンコーダであり、回転数検出センサ３８およびエンコーダ板３７の協働により発生するパルス数に対応したウォームホイール３６の回転数、すなわち進退方向Ｚのにおける可動軸３２の進退量、換言すればスプリング３１の引張り長さの変位量を検出することができる。
【００３９】
上記接離手段および押圧力調整手段３０が上記のとおり構成されていることにより、スプリング３１の両端はサーマルヘッド支持部材２０の左側自由端部および可動軸３２で変位可能に係止されていることになる。それ故に、プラテン押圧可変モータ３５の正転あるいは逆転の回転駆動により、プラテン押圧可変モータ３５の回動量がウォーム３４からウォームホイール３６に伝達され、さらに上記ネジ機構によって可動軸３２における進退方向Ｚの左斜め上もしくは右斜め下への直線運動に変換されることで、可動軸３２が進退方向Ｚの左斜め上もしくは右斜め下へ移動され、これによりスプリング３１の引張り長さが変化されることとなって、スプリング３１の張力が可変されるため、プラテンローラ１４に対するサーマルヘッド１０の相対的な押圧力（以下、「プラテンローラ押圧力」または単に「押圧力」という）が変化される。なお、本実施形態の場合、上記した押圧力制御は、常に、押圧力調整手段３０のホームポジションセンサ３９による稼動軸３２のホームポジション検出位置から開始されるようになっている。
【００４０】
次に、図４を参照して、製版装置１９周辺の雰囲気の湿度（以下、「雰囲気湿度」という）を検出するための構成、サーマルヘッド１０へ通電する通電周期（以下、「通電周期」または「印字周期」という）、サーマルヘッド１０に印加する印加エネルギーおよびプラテンローラ押圧力等を変えるための制御構成について説明する。通電周期または印字周期は、製版速度に係るものであり、ライン周期と呼ばれることもある。
【００４１】
図１に示すように、製版装置１９周辺の雰囲気湿度を検出するための、後述する効果をより好ましく奏する点からサーマルヘッド１０近傍の雰囲気湿度を検出するための湿度センサ１が、製版装置１９におけるマスタロール１２Ａの支持部、サーマルヘッド１０およびプラテンローラ１４を覆っている図示しない上カバーの上部内壁面に配置・取り付けられている。
【００４２】
湿度センサ１は、マスタ１２のフィルムへの穿孔の確率を低減させないようにサーマルヘッド１０の駆動条件を変えるための、製版装置１９周辺の雰囲気湿度、より好ましくはサーマルヘッド１０近傍の雰囲気湿度を検出するための湿度検出手段としての機能を有する。湿度センサ１は、図示しないＡ／Ｄ変換器を介して後述するマイクロコンピュータ２のＣＰＵにその出力信号を送信可能に接続されている。
【００４３】
湿度センサ１としては、インピーダンス変化型の湿度センサを用いて抵抗値の変化によって検出してもよいし、あるいは静電容量変化型の湿度センサを用いて静電容量の変化によって検出してもよい。これら電気湿度計に限定されず、当然のことながら、他の公知の湿度センサ、例えば現状では高価であるが赤外線吸収湿度計等を用いて雰囲気湿度としての相対湿度を検出してもよいことは言うまでもない。
ここに、インピーダンス変化型の湿度センサは、雰囲気湿度の変化によりセンサ材料の電気伝導率が変化し、抵抗値が変わることを応用しているものであり、その感湿材料の違いによりセラミック型と高分子型に分類される。但し、これらは、電気的特性、回路での取り扱いに大きな違いはない。
一方、静電容量変化型の湿度センサは、雰囲気湿度の変化に対してセンサ材料の誘電率が変化し、端子間に静電容量の変化として現れるものである。インピーダンスの変化としても捉えることも可能であるが、インピーダンス変化型の湿度センサと比べ変化量が小さい。そのため、湿度による可変コンデンサとして扱う方が適切となる場合がある。
【００４４】
図４において、符号２は、マイクロコンピュータを示す。マイクロコンピュータ２は、後述するように、湿度センサ１、サーマルヘッド駆動回路２７、マスタ送りモータ駆動回路４１、原稿搬送ローラ用モータ駆動回路８３Ｂ、操作パネル９０（湿度表示キー９６、湿度制御オンオフキー９７、オンランプ９７ａ、オフランプ９７ｂ、ＬＣＤ表示部９８）の間で、指令信号およびデータ信号を送受信し、製版印刷装置全体のシステムを制御している。マイクロコンピュータ２は、ＣＰＵ（中央演算処理装置）、Ｉ／Ｏ（入出力）ポートおよびＲＯＭ（読み出し専用記憶装置）、ＲＡＭ（読み書き可能な記憶装置）等を備え、信号バスによって接続された周知の構成を有する。
【００４５】
マイクロコンピュータ２は、湿度センサ１により検出された湿度情報に係る湿度データ信号に応じて、また湿度制御オンオフキー９７からの低湿環境駆動条件可変指示に係る信号に基づいて、サーマルヘッド１０の個々の発熱体９への通電周期（印字周期）およびサーマルヘッド１０の個々の発熱体９に供給・印加する印加エネルギーを変えるようにサーマルヘッド駆動回路２７を制御する第１の制御手段としての機能を有する。
第１の制御手段としての機能に付随して、マイクロコンピュータ２は、印字周期の変更に同期するように、副走査方向の解像度に対応して予め設定されている送り速度（送りピッチ）に変えるようにマスタ送りモータ駆動回路４１を介してマスタ送りモータ４０を制御すると共に、副走査方向の解像度に対応して予め設定されている送り速度（送りピッチ）に変えるように原稿搬送ローラ用モータ駆動回路８３Ｂを介して原稿搬送ローラ用モータ８３Ａを制御する機能も有する。
【００４６】
マイクロコンピュータ２は、湿度センサ１により検出された湿度情報に係る湿度データ信号に応じて、また湿度制御オンオフキー９７からの低湿環境駆動条件可変指示に係るオン信号に基づいて、回転数検出センサ３８およびホームポジションセンサ３９からの信号を参照しながら、プラテンローラ押圧力を変えるようにプラテンローラ押圧可変回路４０を介して押圧力調整手段３０のプラテンローラ押圧可変モータ３５を制御する第２の制御手段としての機能を有する。
【００４７】
また、マイクロコンピュータ２は、湿度表示キー９６からの信号に基づいて、湿度センサ１により検出された湿度情報に係る相対湿度％を表示・報知するように図示しないＬＣＤ駆動回路を介してＬＣＤ表示部９８を制御する機能を有する。マイクロコンピュータ２は、湿度制御オンオフキー９７からの低湿環境駆動条件可変指示に係るオン信号に基づいて、オンランプ９７ａを点灯するように、湿度制御オンオフキー９７からのオフ信号に基づいて、オンランプ９７ａを消灯するように図示しないＬＥＤ駆動回路を制御する機能を有する。
【００４８】
マイクロコンピュータ２のＲＯＭには、湿度データに対応した印字周期を設定するための関係データおよびそのプログラムと、設定された印字周期に同期したマスタ１２の送り速度および原稿６０の送り速度をそれぞれ設定するための関係データおよびそのプログラムと、湿度データに対応した印加エネルギー、すなわち通電パルス幅や印加エネルギー設定のための関係データおよびその印加エネルギー調整に係るプログラムと、図５に示すフローチャートに係るプログラム等とが、予め実験等によって定められて記憶されている。
マイクロコンピュータ２のＲＡＭには、上記ＣＰＵの計算・演算結果を一時記憶したり、上記各センサや各種キー等から入力されたオン／オフ信号やデータ信号を随時記憶する。
【００４９】
図４において、符号２５は復号化回路、符号２６は電源を、それぞれ示す。復号化回路２５は、上記Ａ／Ｄ変換基板でデジタル符号化された画像信号をイメージデータ信号に復号する機能を有し、サーマルヘッド駆動回路２７へイメージデータ信号を出力する。
マスタ送りモータ駆動回路４１は、例えば１−２相励磁パルスを発生する１−２相励磁回路の出力をマスタ送りモータ４０に供給するようになっている。マスタ送りモータ駆動回路４１は、マスタ送りモータ４０に接続されていて、マスタ送りモータ４０を駆動する。
原稿搬送ローラ用モータ駆動回路８３Ｂは、マスタ送りモータ駆動回路４１と同様な構成を有し、例えば１−２相励磁パルスを発生する１−２相励磁回路の出力を原稿搬送ローラ用モータ８３Ａに供給するようになっている。
【００５０】
サーマルヘッド駆動回路２７は、復号化回路２５から出力されるイメージデータ信号や、１副走査を示す信号、マイクロコンピュータ２から出力される通電パルス幅の指令およびデータ信号を受けてサーマルヘッド駆動信号を出力する駆動回路から主に構成される。またサーマルヘッド１０は、１主走査分のイメージデータ信号を順次シフトするシフトレジスタと、このシフトレジスタの各段の出力をラッチするラッチ回路と、黒画素に対応するサーマルヘッド１０の発熱体９のみ駆動するためのＡＮＤ回路と、サーマルヘッド１０の発熱体９を駆動するトランジスタと、逆電流防止用のダイオード等を具備している。
電源２６は、サーマルヘッド駆動回路２７に接続されていて、サーマルヘッド駆動回路２７を介して、サーマルヘッド１０の個々の発熱体９にマスタ１２を加熱溶融穿孔するための印加エネルギーに対応する電気エネルギーを供給する。
【００５１】
上述したように、本発明では、サーマルヘッド１０の近傍における雰囲気湿度に応じて（特に雰囲気湿度が低い場合）、サーマルヘッド１０ヘ通電する通電周期を長くし、発熱体９が発熱している時間を長く取ることでマスタ１２のフィルムへ穿孔に必要な十分な熱量を加えることおよびサーマルヘッド１０にマスタ１２を押し付けるプラテンローラ１４の押圧力を高めることで、サーマルヘッド１０の発熱体９の発熱によって生じたエネルギーのロスを極力減らした状態でマスタ１２へ熱を伝えることにある。
【００５２】
従来においては、本発明に一見類似するような構成をとることも可能であったが、実使用上余り多くない低湿環境時に対応すべく常時印字周期を長くすることは製版印刷装置（感熱性孔版印刷装置）特有の製版時間を長くしてしまうことになり、製版時間をより短くして欲しいとのユーザ要望に応えることができなくなってしまう。また、サーマルヘッド１０とマスタ１２との押圧力（圧接力）を常時高めることは、サーマルヘッド１０ヘ常にメカ的ストレスを与えるという観点から好ましいものではなかった。
従って、今までは低湿環境時にマスタ１２のフィルムの穿孔性が多少劣化することを良しとして進めてきたのであるが、このような事情に鑑みて、本発明では低湿環境時のみサーマルヘッド１０の駆動条件等を変更することで対応しようとするものである。
【００５３】
マイクロコンピュータ２は、上述した本発明の基本的な機能の他に、既に公知である熱履歴制御を行う図示しない熱履歴制御手段、コモンドロップ補正制御を行う図示しない印字率補正制御手段としての機能を有すると共に、これらからのサーマルヘッド１０を駆動する際の各種信号の生成を行う。加えて、マイクロコンピュータ２は、それぞれ図示しない公知の、サーマルヘッド温度別印加エネルギー調整手段、通電率別印加エネルギー調整手段、インキ温度別印加エネルギー調整手段からのサーマルヘッド１０を駆動する際の各種信号の生成を行うための機能も有する。
そのため、マイクロコンピュータ２のＲＯＭには、上述した関係データおよびそのプログラムの他に、それぞれ後述するサーマルヘッド温度別印加エネルギー調整、通電率別印加エネルギー調整、インキ温度別印加エネルギー調整等を行うことによって、マスタ１２の穿孔・製版時において最適な穿孔の大きさを得るための印加エネルギー（通電パルス幅または印加電圧等）に係る関係データおよびプログラム等が予め記憶されている。なお、上記ＲＯＭに予め記憶されている関係データやプログラム等の変更は、ＲＯＭチップの変更やプログラム可能なＰＲＯＭとすることにより行うことができる。
【００５４】
上記熱履歴制御手段は、サーマルヘッド１０の個々の発熱体９を熱履歴制御するためのものであり、例えば特許第３１８８５９９号公報の段落「００１４」に記載されていると同様の、特開昭５７−８００７８号公報等に記載の記録パルス制御方式を利用した構成を有するもの、あるいは例えば特開平８−１３２５８４号公報の図８等に開示されているものが用いられる。
【００５５】
上記サーマルヘッド温度別印加エネルギー調整手段は、サーマルヘッド１０の個々の発熱体９に印加する印加エネルギーを、サーマルヘッド１０の温度を検出するサーマルヘッド温度検出手段が検出したサーマルヘッドの温度に応じて、所定のエネルギーに調整する機能を有する。
上記サーマルヘッド温度検出手段としては、例えば特許第３１８８５９９号公報の図３に示されているサーミスタ（２）と同様のものが用いられる。
【００５６】
上記通電率別印加エネルギー調整手段は、サーマルヘッド１０の個々の発熱体９に印加する印加エネルギーを、各発熱体９に通電させる通電数を計数する通電数計数手段が計数した通電数に応じて、所定のエネルギーに調整する機能を有する。
上記通電率別印加エネルギー調整手段の機能を概略的に説明すると、次のようになる。すなわち、穿孔・製版させる印字数が多いほど、サーマルヘッド１０までのハーネス低抗分やサーマルヘッド１０内のコモン電極での抵抗分のロスが大きくなり、低印字率で最適な印加エネルギーを印加させて穿孔させた場合、最適な穿孔状態が得られず、最悪の場合は印加エネルギーの不足による穿孔不良（未穿孔）が生じてしまう。このような現象を発生させないために穿孔・製版させようとする各発熱体９に対する印字数をカウントし、そのロス分を補うために通電パルス幅を長くしたりあるいは印加電圧を高くしたりして、最適な印加エネルギー条件に設定する手段である。
【００５７】
上記インキ温度別印加エネルギー調整手段は、サーマルヘッド１０の個々の発熱体９に印加する印加エネルギーを、インキの温度を検出するインキ温度検出手段が検出したインキの温度に応じて、所定のエネルギーに調整する機能を有する。本実施形態では、印刷ドラム１０１から印刷用紙６２に転移されるインキの温度を直接的に検知しているのではなく、これに近い印刷ドラム１０１内部のインキ溜まり１０７の温度を、例えば特許第２７５６２１９号公報の図１（ｂ）に示されているインキ温度検出手段としてのサーミスタ（２０１）と同様のものを用いて検出している。
【００５８】
上記インキ温度別印加エネルギー調整手段は、上記サーミスタからのインキの温度に係る信号に基づいて、そのインキ温度に見合った最適な穿孔状態を得るために印加エネルギーを調整するものである。一般的に、インキは温度が高くなると柔らかくなり、逆に温度が低くなると硬くなる。この事実は、インキ温度が高いほどインキの吐出量すなわちインキ転移量が多くなり、逆にインキ温度が低いほどインキの吐出量すなわちインキ転移量が少なくなる。従って上記インキ温度別印加エネルギー調整手段では、上記特性を補うために印加エネルギーを調整するものである。
【００５９】
上記サーマルヘッド温度別印加エネルギー調整手段、上記通電率別印加エネルギー調整手段や上記インキ温度別印加エネルギー調整手段としては、複数のマイクロコンピュータ等を用いてもよい。所定のエネルギーに調整された印加エネルギーの供給は、画像信号に応じて、サーマルヘッド１０の多数（複数）の発熱体９への通電パルス幅の変化により行ってもよいし、あるいは画像信号に応じて多数の発熱体９に流す電流値もしくは多数の発熱体９に印加する印加電圧値の変化により行うようにしてもよい。
【００６０】
次に、図５を参照して本実施形態おける動作の流れを上述した全体動作と相違する点を中心に説明する。
まず、湿度センサ１により検出された雰囲気湿度（相対湿度）が操作パネル９０のＬＣＤ表示部９８に常時表示されていない場合には、ユーザが湿度表示キー９６を押すことにより、サーマルヘッド１０の近傍における湿度センサ１により検出された現在の雰囲気湿度が表示される。なお、現在の雰囲気湿度が操作パネル９０上に常時表示されている場合、湿度表示キー９６の配設やその操作を省略してもよい（ステップＳ１、ステップＳ２参照）。
【００６１】
次いで、ステップＳ３において、ユーザはＬＣＤ表示部９８に表示された湿度情報としての相対湿度値（％）を視認することにより、湿度情報に応じてのマイクロコンピュータ２によるサーマルヘッド１０の上記駆動条件を変える制御を行うかどうかを任意に設定すべく、湿度制御オン／オフキー９７を操作する。
ここで、湿度センサ１により検出された雰囲気湿度（例えば相対湿度）の値によって、サーマルヘッド１０の上記駆動条件を変える低湿環境駆動条件の範囲は、主としてマスタ１２の多孔性支持体を構成する天然繊維の吸湿性の程度および天然繊維の構成割合によって決まるが、用いているフィルムの材質やその厚みでも多少変化するので、最終的には使用するマスタ１２の仕様ごとに実験等によって決定することとなる。この低湿環境駆動条件の範囲は、例えばユーザがＬＣＤ表示部９８の表示に従い、テンキー９３にて入力することにより、その閾値を任意に変更できるような構成にしてもよい。
【００６２】
例えば、湿度センサ１により検出された雰囲気湿度（例えば相対湿度）の値がサーマルヘッド１０の上記駆動条件を変える低湿環境駆動条件の範囲にある時であって、白抜けを防止して最終的な画質向上を図りたいような場合には、湿度制御オン／オフキー９７を押せばよい。湿度制御オン／オフキー９７を１回押すと、オンランプ９７ａが点灯することにより、サーマルヘッド１０の駆動条件を変えるための制御が自動的に実行される条件が設定されると共に、その設定状態になったことが視認される。
【００６３】
この時、湿度制御オンオフキー９７からの低湿環境駆動条件可変指示に係るオン信号に基づいて、マイクロコンピュータ２は、湿度センサ１からの湿度データ信号に応じて、印字周期の最適値および最適な穿孔状態となる印加エネルギーの値を上記ＲＯＭから選択して、サーマルヘッド１０の個々の発熱体９への通電タイミングを変えると共に、印加エネルギーを変えるようにサーマルヘッド駆動回路２７を制御する状態を設定する。
【００６４】
またこの際、スキャナを含む原稿読取装置８０での読み取り速度も合わせて変えても構わないし、一旦、ＲＡＭ等のメモリにデータを取り入れ、通電タイミングに応じてデータ転送する方式を採用してもよい。また、製版搬送途中に、印刷ドラム１０１ヘの製版済みのマスタ１２の巻装を始めるような場合には、その回転速度もあわせて変更することは言うまでもない。
すなわち本実施形態では、上記制御と共に、マイクロコンピュータ２は、印字周期の最適値の選択設定に同期するように、原稿６０の送り速度およびマスタ１２の送り速度の最適値を上記ＲＯＭから選択して、マスタ送りモータ４０および原稿搬送ローラ用モータ８３Ａを駆動制御する状態を設定する。
【００６５】
また同時に、マイクロコンピュータ２は、湿度制御オンオフキー９７からの低湿環境駆動条件可変指示に係るオン信号に基づいて、湿度センサ１により検出された湿度情報に係る湿度データ信号に応じて、また回転数検出センサ３８およびホームポジションセンサ３９からの信号を参照しながら、プラテンローラ１４の押圧力の最適値を上記ＲＯＭから選択して、プラテンローラ押圧可変モータ３５を駆動制御する状態を設定する（ステップＳ４参照）。
【００６６】
一方、ステップＳ３において、ユーザはＬＣＤ表示部９８に表示された相対湿度値（％）を視認することにより、例えば多少の白抜けが発生することで画質が低下しても何よりもいち早く大量の印刷物を得たいような場合、つまり画質は重視せず短時間で大量の印刷物を得たい場合には、ユーザは湿度制御オン／オフキー９７を操作せずに、すなわち湿度制御オン／オフキー９７からの信号がオフのまま、換言すれば従来工程と同様にステップＳ５に進む。
【００６７】
次いで、ステップＳ５において、ユーザが製版スタートキー９１を押すと、スタート信号が生成されこれがトリガとなって、上記した排版工程、上記した原稿６０の画像読み取り工程、上記した製版・給版工程が実行される。この製版工程では、マイクロコンピュータ２によって、湿度センサ１からの湿度データ信号に応じて、選択・設定された印字周期の最適値となるようにサーマルヘッド１０の個々の発熱体９への通電タイミングが、および最適な穿孔状態となる印加エネルギーが印加されるようにサーマルヘッド駆動回路２７が制御される。
上記制御と共に、マイクロコンピュータ２によって、印字周期の最適値の選択設定に同期するように、選択・設定された最適な原稿６０の送り速度および最適なマスタ１２の送り速度となるように、マスタ送りモータ４０および原稿搬送ローラ用モータ８３Ａが駆動制御される。
【００６８】
また同時に、マイクロコンピュータ２によって、選択設定された最適なプラテンローラ押圧力となるように、プラテンローラ押圧可変モータ３５が駆動制御される。
【００６９】
上述したステップＳ５の特有の制御は、ステップＳ３において、湿度制御オン／オフキー９７からの信号がオフのままであって従来の製版工程と同様の場合には、勿論実行されないことを付記しておく。
【００７０】
上述した特有の制御に加えて、ステップＳ３において、湿度制御オン／オフキー９７からの信号がオフのままであって従来の製版工程と同様の場合も含め、マイクロコンピュータ２による上記熱履歴制御、上記コモンドロップ補正制御、上記通電率別印加エネルギー調整・制御によって、サーマルヘッド１０の個々の発熱体９への最適な印加エネルギーが上記ＲＯＭに予め記憶されていた関係データ、すなわち予め実験等で求めておいた製版状態と通電パルス幅や印加電圧との関係データから最適な通電パルス幅や印加電圧を呼び出して設定される。
そして、マイクロコンピュータ２の制御の下に、ステッピングモータからなるマスタ送りモータ１１が駆動されることによりマスタ１２が繰り出し搬送されながら、上述したように設定された最適な通電パルス幅や印加電圧に基づいてマスタ１２の熱可塑性樹脂フィルム部分が加熱溶融穿孔される。この製版済みのマスタ１２の先端が上述したようにマスタクランパ１０２にクランプされた後、図１中Ａ方向に回転する印刷ドラム１０１の外周面に巻装されていき、一版分の製版済みのマスタ１２が印刷ドラム１０１の外周面に完全に巻装された時、給版工程が終了する。
【００７１】
次いで、ステップＳ６に進み、所定の印刷枚数に応じた上記した印刷工程が実行される。この印刷工程では、マイクロコンピュータ２による上記インキ温度別印加エネルギー調整・制御によって、上記サーミスタが検出したインキの温度に応じて、インキ温度によってインキの粘性が異なりマスタ１２の穿孔部分からのインキの吐出量が異なってしまうということを、マスタ１２の熱可塑性樹脂フィルム部分に形成される穿孔状態（穿孔径）をコントロールし補正するという制御も同時に実施される。
【００７２】
（実施例）
図６を参照して、上述した実施形態の実施例について説明する。
上記実施形態の構成・動作におけるステップＳ３〜ステップＳ５で説明した特有の制御を実施した実施例１（図６では丸１で示す）および実施例２（図６では丸２で示す）を、従来例（図６では丸３で示す）と比較して説明する。
【００７３】
実施例１、２および従来例に共通する製版条件としては、以下の同一条件で実施した。
2005035091.tif 000003
【００７４】
実施例１、２および従来例で相違する製版条件としては、以下の条件で実施した。
2005035091.tif 000004
環境…温度：２３℃、相対湿度：５〜９０％（Ｒｈ）の範囲内で変化させた
図６は、環境（湿度センサ１が配置されているサーマルヘッド１０の近傍）の相対湿度（％：Ｒｈ）を横軸に、マスタ１２のフィルムの穿孔確率（％）を縦軸に取ってプロットしたものである。図６において、白抜き四角印のプロットは印字周期を２倍にすると共に押圧アップした実施例１を、黒三角印のプロットは印字周期を２倍にした実施例２を、黒菱形印のプロットは従来例をそれぞれ示す。
【００７５】
実施例１および２に関しては、予め適正な穿孔状態となるよう算出された印加エネルギーをサーマルヘッド１０ヘ加えている。今回は、印加エネルギーの可変は印加電圧を変えることにより行っている。また、今回は効果の確認が目的であったため、プラテンローラ１４の押圧力は押付け用のスプリングの強さを変えて行ったが、実使用時には図３に示した押圧力調整手段３０のスプリング３１の張力をプラテン押圧可変モータ３５の駆動制御により自動的に変えること等で対応することになる。
【００７６】
穿孔確率を求めるためのマスタ１２におけるフィルムの穿孔状態の確認方法としては、穿孔・製版されたマスタ１２のフィルム部分を光学顕微鏡で観察し、「未穿孔部と不完全穿孔部と」を穿孔していない箇所としてカウントして、黒ドット・データ数に対する完全穿孔部の数を比率として求め、これを穿孔確率とした。不完全穿孔部には、インキを通過させることが可能と思われるものも存在するが、印刷ドラム１０１に上記穿孔・製版されたマスタ１２を巻装して印刷した場合にその印刷画像に影響をきたす可能性が高いため、今回の試験では未穿孔部として扱っている。
また、フィルム部分を光学顕微鏡で観察したのは、例えば印刷ドラム１０１に上記穿孔・製版されたマスタ１２を巻装して印刷することにより、「実際にマスタ１２のフィルムの穿孔部分にインキを通過させて、通過しない箇所をカウントする」等の方策も考えられるが、インキの微妙な滲み等の要因でばらつきが大きくなってしまうことと、その個数をカウントするのが難しいからである。
【００７７】
まず、丸３の従来例から分かるように、穿孔確率（一定領域内に穿孔されている確率：１００％が全て穿孔）はおおよそ相対湿度６０％を境に高い確率での飽和領域にある。逆に、６０％を下回るにつれ穿孔確率は徐々に劣化していく。また、穿孔確率の劣化に伴い、その図示を省略しているが穿孔面積のばらつきも大きくなってきているのが知見され、マスタ１２のフィルムへの熱エネルギーの伝達不足となっている箇所が顕著になってきていることが分かった。
【００７８】
これに反して、丸２の実施例２においては、低湿環境の場合に印字周期を長くし、発熱時間を長く取ることで穿孔確率は改善され、画質上問題とならない合格レベルである９８％以上に入っていることが分かる。
【００７９】
さらに、丸１の実施例１においては、プラテンローラ１４の押圧力を上げ、サーマルヘッド１０の発熱体９とマスタ１２のフィルムとの密着性を高めることで、穿孔確率がより改善されていることが分かる。
【００８０】
本実施形態および実施例１、２によれば、サーマルヘッド１０によりマスタ１２のフィルム部分へ施された穿孔状態は、環境湿度が低い場合でも穿孔確率をほとんど劣化させること無く、如何なる環境下でもドット抜け・白抜けの無い良好な穿孔状態の製版物を得ることができる。
さらに、従来技術では低湿環境を見越してサーマルヘッド１０ヘの通電周期はそう短くすることはできなかったが、低湿環境での穿孔不良は駆動条件の変更により補えるため、穿孔性およびサーマルヘッド１０の寿命に影響を来さない範囲にて可能な限り通電周期を短く設定できるようになり、製版印刷装置（感熱性孔版印刷装置）特有の製版時間を幾らかでも短縮できるようになる。
また、任意に、サーマルヘッド１０の駆動条件を変更するかどうかを選択できる構成になっているため、多少の白抜けを良しとして、製版時間を短縮させたいというユーザ要望をも可能にすることができるようになる。
【００８１】
【発明の効果】
以上説明したとおり、本発明によれば、前述した従来の問題点を解決して新規な製版装置および製版印刷装置を提供することができる。
請求項１記載の発明によれば、マスタへの穿孔の確率を低減させないようにサーマルヘッドの駆動条件を変えるための、製版装置周辺の雰囲気の湿度を検出する湿度検出手段を有することにより、雰囲気の湿度に応じてのサーマルヘッドの駆動条件の変更が可能となる。また、例えばコンピュータ・ネットワーク接続で遠隔地から製版装置や製版印刷装置を操作する場合にも、適宜、湿度検出手段により検出された湿度情報を得ることができるようになる。
【００８２】
請求項２記載の発明によれば、湿度検出手段をサーマルヘッドの近傍に配置したことにより、請求項１記載の発明の効果に加えて、マスタ繰り出し部の近傍に湿度検出手段を配置しているので、より正確な湿度情報を得ることができるようになる。
【００８３】
請求項３記載の発明によれば、第１の制御手段によって、湿度検出手段により検出された湿度情報に応じて、サーマルヘッドへ通電する周期が変えられると共に、サーマルヘッドに印加する印加エネルギーが変えられることにより、請求項１または２記載の発明の効果に加えて、低湿と判断された時にのみ通電周期（印字周期）を長く取る構成を取れるので、その他の環境下では通常の通電周期（印字周期）で製版できるため、必要以上に製版時間が長くなることがなくなる。また、通電周期（印字周期・通電時間）を長く取っただけでは、マスタへのサーマルヘッドからの熱エネルギー供給量が過多になってしまうことを適正な印加エネルギーとなるように、例えばサーマルヘッドヘの印加電圧または電流値を変えることで防止できる。
【００８４】
請求項４記載の発明によれば、第２の制御手段によって、湿度検出手段により検出された湿度情報に応じて、サーマルヘッドとプラテンローラとの押圧力を変えるように押圧力調整手段が制御されることにより、請求項３記載の発明の効果に加えて、低湿と判断された時のみサーマルヘッドとマスタとの押圧力を高める構成であるので、サーマルヘッドヘの機械的なストレスを極力低減できる。
【００８５】
請求項５記載の発明によれば、報知手段により報知された湿度情報に基づいて、第１の制御手段または第２の制御手段による制御を行うか否かを手動で選択する制御選択手段を有することにより、請求項３または４記載の発明の効果に加えて、ユーザが報知手段により報知された湿度情報に基づいて、サーマルヘッドの駆動条件を変更するかどうかを任意に選択できるので、製版作業の都度、湿度を考慮しなくとも適正な穿孔状態を得ることができるようになる。また検出された湿度情報に応じてサーマルヘッドの駆動条件を変更するかしないかの制御選択手段を有することにより、画質は重視せず短時間で大量の印刷物を得たいとのユーザ要望に対応することができるようになる。
【００８６】
請求項６記載の発明によれば、請求項１ないし５の何れか一つの記載の発明の効果に加えて、マスタへの穿孔の確率の向上によって、いわゆる白抜けの無い画質の良好な印刷物を得ることができる。
【図面の簡単な説明】
【図１】本発明の一実施形態を示す製版印刷装置の概略的な正面図である。
【図２】製版印刷装置に配設された操作パネルの平面図である。
【図３】製版装置に配設された押圧力調整手段の正面図である。
【図４】図１に示した製版印刷装置の制御構成を表すブロック図である。
【図５】製版印刷装置の動作順序を示す簡略的なフローチャートである。
【図６】実施例１、２および従来例について、穿孔・製版の試験を行い、環境相対湿度と穿孔確率とについて３者を比較評価するためにまとめたグラフである。
【符号の説明】
３    サーマルヘッド温度別印加エネルギー調整手段、通電率別印加エネルギー調整手段、インキ温度別印加エネルギー調整手段としてのマイクロプロセッサ
１      湿度検出手段としての湿度センサ
２      第１の制御手段および第２の制御手段としてのマイクロコンピュータ
９      発熱体
１０    サーマルヘッド
１１    マスタ送りモータ
１２    マスタ
１４    プラテンローラ
１９    製版装置
２７    サーマルヘッド駆動回路
３０    押圧力調整手段
３１    スプリング
３５    プラテンローラ押圧可変モータ
３７    サーマルヘッド温度検出手段としてのサーミスタ
６２    印刷用紙
９０    操作パネル
９７    制御選択手段としての湿度制御オンオフキー
９８    報知手段としてのＬＣＤ表示部
１０１  版胴としての印刷ドラム
１０５  インキ供給手段を構成するインキローラ
Ｙ      副走査方向
【図１】
2005035091.tif 000005
【図２】
2005035091.tif 000006
【図３】
2005035091.tif 000007
【図４】
2005035091.tif 000008
【図５】
2005035091.tif 000009
【図６】
2005035091.tif 000010